(57)【要約】【課題】愛玩動物の興味を引き、ストレス解消と身体運動の促進を図ることができる愛玩動物用玩具を提供することを目的とする。【解決手段】中空の芯体と、長さの異なる複数の羽状体と、を具備して構成され、前記羽状体の羽弁が動作自在となるよう、前記芯体の表面の一部又は全部に前記羽状体を固定されていること、を特徴とする愛玩動物用玩具。【選択図】図１
2019097405.tif 000002
【特許請求の範囲】
【請求項１】
中空の芯体と、
羽柄と複数の羽弁とを有する複数の羽状体と、
を具備して構成され、
前記羽状体が、前記羽柄側において、前記羽弁が動作自在な態様で前記芯体の表面の一部又は全部に固定されていること、
を特徴とする愛玩動物用玩具。
【請求項２】
前記芯体に対する前記羽状体の貼り付け代が、前記羽状体の全長の１／２以下の範囲であること、
を特徴とする請求項１に記載の愛玩動物用玩具。
【請求項３】
前記芯体が平滑な底面を有し、かつ前方側と後方側とを有すること、
を特徴とする請求項１又は２に記載の愛玩動物用玩具。
【請求項４】
前記羽状体が、前記羽柄側を前記芯体の前方側に配向し、羽軸先端側を前記芯体の後方側に配向して前記芯体に固定されていること、
を特徴とする請求項３に記載の愛玩動物用玩具。
【請求項５】
前記芯体の前記底面に長尺羽状体が固定されていること、
を特徴とする請求項３又は４に記載の愛玩動物用玩具。
【発明の詳細な説明】
【技術分野】
【０００１】
本発明は、愛玩動物の興味を引き、ストレス解消と身体運動の促進を図ることができる愛玩動物用玩具に関する。
【０００２】
従来、例えば猫等の愛玩動物を室内で遊ばせようとする際、あるいは飼育する愛玩動物の健康維持や肥満防止のために運動をさせようとする際、種々のボール等を与えて遊戯させることが多かった。また、一部では格子状に積み上げたパイプ等を室内に配置し、当該パイプの上方と下方とを昇降させることにより遊戯及び運動を促進させる愛玩動物用玩具が提案されている（例えば特許文献１参照）。
【先行技術文献】
【特許文献】
【０００３】
【特許文献１】特開２０１２−２４０６６号公報
【発明の概要】
【発明が解決しようとする課題】
【０００４】
しかしながら、種々のボールや従来の愛玩動物用玩具では、愛玩動物の興味を強く引き付けることが困難であり、ある程度の自主性を要求するものであった。また、飼い主が当該遊戯に介入し、例えばボールを投げたり愛玩動物から奪ったり等を行なわなければ短時間の遊戯で終了することが多かった。また、積み上げたパイプに対する昇降は、例えば上方で動きを止める等の休憩状態に入ってしまい、遊戯そのものが成立しない問題があった。
【０００５】
そこで、従来の愛玩動物用玩具の構造に着目すると、玩具自身が愛玩動物の興味を強く引く特徴を有しておらず、飼い主の介入を前提としたものが多かった。また、一部には電気駆動や機械駆動を用いて自主的に動作し、愛玩動物の興味を引くものも存在するが、部品点数が多く、低コスト製造が困難なのは明らかであって、未だ改善の余地があった。
【０００６】
本発明は、上記問題に鑑みて創作されたものであり、愛玩動物の興味を引き、ストレス解消と身体運動の促進を図ることができる愛玩動物用玩具を提供することを目的とする。
【課題を解決するための手段】
【０００７】
上記の課題を解決すべく、本発明は、
中空の芯体と、
羽柄と複数の羽弁とを有する複数の羽状体と、
を具備して構成され、
前記羽状体が、前記羽柄側において、前記羽弁が動作自在な態様で、前記芯体の表面の一部又は全部に固定されていること、
を特徴とする愛玩動物用玩具を提供する。
【０００８】
このような構成を有する本発明の愛玩動物用玩具は、例えば猫等の愛玩動物に与えて遊戯させるものであって、表面に鳥等の羽を貼り付けて構成しているため、前足等で動作させる又は口で加えて移動させることによって、羽状体が動作して靡き、愛玩動物の興味をより引き付けることができる玩具である。このような愛玩動物用玩具を用いることにより、愛玩動物を長時間遊ばせておくことができ、ストレスの発散や身体運動の促進を促すことができる。また、鳥の羽（動物の体毛）を用いることで愛玩動物の狩猟本能を刺激することができる。更に、上記愛玩動物用玩具は、構造が単純で安全な部品で構成されているため、低コストで製造でき、安全に遊戯させることができる。
【０００９】
また、本発明の愛玩動物用玩具については、
前記芯体に対する前記羽状体の貼り付け代が、前記羽状体の全長の１／２以下の範囲であることが望ましい。
【００１０】
このような構成を有する本発明の愛玩動物用玩具では、羽状体の貼り付け代を全長の１／２以下の範囲とすることで、羽軸の全長における１／２以上（羽軸先端側）が固定されない状態となり、愛玩動物の遊戯中に羽状体を自在に動作させることができる。
【００１１】
また、本発明の愛玩動物用玩具については、
前記芯体が平滑な底面を有し、かつ前方側と後方側とを有することが望ましい。
【００１２】
また、本発明の愛玩動物用玩具については、
前記羽状体が、前記羽柄側を前記芯体の前方側に配向し、羽軸先端側を前記芯体の後方側に配向して前記芯体に固定されていることが望ましい。
【００１３】
このような構成を有する本発明の愛玩動物用玩具では、平滑な底面を床等に対向させて安定して置くことができる。また、芯体が前方側と後方側とにおける方向性を備え、当該方向性に合わせて羽状体の貼り付け方向に規則性（芯体の前方側に羽柄側を向け、後方側に羽軸先端側を向ける）を持たせることで、愛玩動物用玩具の表面に複数の羽状体からなる略毛並みが形成され、動物を模したものであれば、より本物に近い意匠性を持たせることができる。
【００１４】
また、羽状体に上記規則性を持たせることで、個々の羽状体が交差する等して互いに干渉することがなく、動き（靡く）の制約を緩和することができるため、より愛玩動物の興味を引くことができる。
【００１５】
また、本発明の愛玩動物用玩具については、
前記芯体の前記底面に長尺羽状体が固定されていることが望ましい。
【００１６】
このような構成を有する本発明の愛玩動物用玩具では、愛玩動物の遊戯中に長尺羽状体が自在に動作したり、床等に接して弾性力を発揮して不規則な動作を発現し、愛玩動物の興味をより引き付けることができる
【発明の効果】
【００１７】
本発明によれば、愛玩動物の興味を引き、ストレス解消と身体運動の促進を図ることができる愛玩動物用玩具を提供することができる。
【図面の簡単な説明】
【００１８】
【図１】本実施形態における愛玩動物用玩具１の概要を説明する斜視図である。
【図２】図１における芯体３の構造を示す図であって、図２（ａ）は、芯体３の平面図であり、図２（ｂ）は、芯体３の側面図であり、図２（ｃ）は、芯体３を前方側１１から見た正面図である。
【図３】図１における羽状体５の構造を示す平面図である。
【図４】図１における長尺羽状体７の構造を示す平面図である。
【図５】羽状体５に対する接着剤の塗布位置を示す模式図である。
【図６】芯体３に対する羽状体５の貼り付け方法を示す模式図である。
【図７】芯体３に対する長尺羽状体７の貼り付け方法を示す模式図である。
【発明を実施するための形態】
【００１９】
以下、図１〜７を参照しながら、本発明の愛玩動物用玩具１における代表的な実施形態を詳細に説明する。但し、本発明は図示されるものに限られるものではなく、各図面は本発明を概念的に説明するためのものであるから、理解容易のために必要に応じて比や数を誇張又は簡略化して表している場合もある。更に、以下の説明では、同一又は相当部分には同一符号を付し、重複する説明は省略することもある。
【００２０】
１．愛玩動物用玩具１の概要
図１を用いて本実施形態における愛玩動物用玩具１の概要について説明する。図１は、本実施形態における愛玩動物用玩具１の概要を説明する斜視図である。図１に示すとおり、本実施形態の愛玩動物用玩具１は、例えば猫等の愛玩動物に与えて遊戯させるものであって、表面に鳥等の羽を貼り付けて構成しているため、前足等で動作させることによって、羽が靡く及び床等に当接して弾性力を発揮することによる不規則な動作を発現し、愛玩動物の興味を引き付けてストレス解消と身体運動の促進を図ることができる玩具である。
【００２１】
本実施形態の愛玩動物用玩具１は、概ね本体を構成する芯体３と、芯体３の表面に貼り付けられる羽状体５と、芯体３の底面１９に貼り付けられる長尺羽状体７と、より愛玩動物の興味を引き付けるための顔模様９と、から構成されている。即ち、短い羽状体５と長尺羽状体７とが用いられている。
【００２２】
なお、図１に示すとおり、本実施形態の愛玩動物用玩具１は、猫用としてネズミを模した形状を成しているが、これに限定される必要はなく、例えば鳥等その他の形状を形成してもよい。
【００２３】
２．愛玩動物用玩具１の構造
＜芯体３の構造＞
次に図２（ａ）（ｂ）（ｃ）を用いて芯体３の構造について詳細に説明する。図２（ａ）（ｂ）（ｃ）は、芯体３の構造を示す図であって、図２（ａ）は、芯体３の平面図であり、図２（ｂ）は、芯体３の側面図であり、図２（ｃ）は、芯体３を前方側１１から見た正面図である。芯体３は、後述する羽状体５、長尺羽状体７及び顔模様９を貼り付ける部品であって、本実施形態における愛玩動物用玩具１の形状及びサイズに応じて適宜構造を選択できる。
【００２４】
図２（ａ）（ｂ）（ｃ）に示すとおり、芯体３は平滑な底面１９を備えた中空の部品であって、前方側１１と後方側１３とにおける前後の方向性を有している。図２（ａ）に示すとおり、ネズミの形状を模すため前方側１１から後方側１３にかけて膨らんだ形状となっており、底面１９以外は曲面で構成される特徴を有する。中空であることによって軽さを担保することができ、また、前方側１１から後方側１３にかけて膨らんだ形状となっていることから、愛玩動物が愛玩動物用玩具１を容易に転がして遊ぶことができる。
【００２５】
また、芯体３は例えばポリプロピレンやポリエチレン等の樹脂材料で形成されることが好ましく、例えば愛玩動物が噛む等の圧力を外部から加えても柔軟に変形自在とすることが望ましい。更に、図２（ｃ）に示すとおり、前方側１１の先端には外部と中空部とを連通する孔１７が設けられていることから、上記外部からの圧力が加えられた際、この孔１７から中空部内の空気を外部に排出することでより変形を容易にする。
【００２６】
芯体３の上部には、前方側１１から後方側１３にかけて形成された筋状の背部１５が備わっている。この背部１５により、芯体３の通常の形状保持をサポートしており、上記外部からの圧力で芯体３が変形した後に、再度通常の形状に回復させることができる。なお、この際は孔１７から外部の空気を中空部内に引き込み、上記形状回復を促進させる。
【００２７】
＜羽状体５の構造＞
続いて、図３を用いて羽状体５の構造について詳細に説明する。図３は、羽状体５の構造を示す平面図である。羽状体５は、羽柄２３と複数の羽弁２７を有し、上記芯体３の表面に貼り付けて本実施形態の愛玩動物用玩具１に対する愛玩動物の気を引くための部品である。
【００２８】
図３に示すとおり、本実施形態に用いる羽状体５は鳥の羽であり、確実に愛玩動物の気を引くという観点から、いわゆる天然物であるのが好ましい。例えば、鳩、            等の羽を用いることができる。本実施形態の愛玩動物用玩具１の形成には長さの異なる複数の羽状体５が用いられている。
【００２９】
具体的には、羽状体５の羽軸２１における根元側の羽柄２３と、先端側の羽軸先端側２５と、の双方により方向性を定めて芯体３に貼り付けられているため、羽状体５それぞれの羽弁２７の干渉を抑制しつつ、より躍動感のある動き（靡き）をさせることができるとともに、羽状体５それぞれの毛並みの方向性が統一され、意匠性を向上することができる。
【００３０】
なお、上述のとおり羽状体５は、長さを異にした複数を芯体３表面に貼り付けるが、全長Ｌ１は１０ｍｍ〜１００ｍｍの範囲とし、より好ましくは２０ｍｍ〜５０ｍｍの範囲のものを用いることが望ましい。
【００３１】
＜長尺羽状体７の構造＞
続いて、図４を用いて長尺羽状体７の構造について詳細に説明する。図４は、長尺羽状体７の構造を示す平面図である。長尺羽状体７は、羽柄３１と複数の羽弁３５を有し、上記芯体３の底面１９に貼り付けることにより、本実施形態の愛玩動物用玩具１の形状に変化を付け、本愛玩動物用玩具１が床等を転がった際等に、弾性力を発揮して動きに変化を与えるものである。
【００３２】
図４に示すとおり、本実施形態に用いる長尺羽状体７は上記羽状体５と同様に鳥の羽を用いたものであり、本愛玩動物用玩具１の形状やサイズに応じて１本〜複数本が使用される。本実施形態では、長尺羽状体７の羽軸２９における根元側の羽柄３１と、先端側の羽軸先端側３３と、の双方により方向性を定めて芯体３の底面１９に貼り付けてより弾性力の高い羽軸先端側３３を外部に向けて配設している。
【００３３】
長尺羽状体７は、上述のとおり１本〜複数本を芯体３の底面１９に貼り付けるが、全長Ｌ２は３０ｍｍ〜２００ｍｍの範囲とし、より好ましくは４０ｍｍ〜１００ｍｍの範囲のものを用いることが望ましい。
【００３４】
なお、上述のとおり本実施形態では羽状体５及び長尺羽状体７に天然の羽を用いているが、同様の構造を備えた人工的な羽で形成してもよい、しかし、鳥の羽等、動物の体毛を用いることで愛玩動物の狩猟本能を刺激して確実にその気を引くことができる。
【００３５】
３．愛玩動物用玩具１の組み立て
＜羽状体５に対する接着剤の塗布位置＞
続いて、図５を用いて羽状体５に対する接着剤の塗布位置について詳細に説明する。図５は、羽状体５に対する接着剤の塗布位置を示す模式図である。
【００３６】
本実施形態の愛玩動物用玩具１は、上述のとおり愛玩動物の興味を引くため、羽状体５と芯体３との貼り付け方法に特徴を有しているため、愛玩動物の遊戯中において羽状体５により躍動感のある動き（靡き）をさせることができる。
【００３７】
図５に示すとおり、本実施形態では、羽状体５それぞれの全長Ｌ１を略４分割し、羽柄２３側の略１／２以下の範囲を貼り付け代Ｌ３とし、これに接着剤を塗布することが望ましい。貼り付け代Ｌ３を羽状体５の全長Ｌ１における１／２以下の範囲とすることで、羽軸２１の全長Ｌ１における１／２以上（羽軸先端側３３）が固定されない状態となり、愛玩動物の遊戯中に羽状体５を自在に動作させることができる。
【００３８】
なお、羽柄２３が長い場合は、羽柄２３近傍の羽弁２７に影響が出ない範囲でカットしてから接着剤を塗布することが望ましい。また、本実施形態では、ＥＶＡ系のホットメルト接着剤を用いているが、愛玩動物に悪影響を与えない材料で構成あれたものであれば他の接着剤を用いてもよい。
【００３９】
＜芯体３に対する羽状体５の貼り付け方法＞
次に、図６を用いて芯体３に対する羽状体５の貼り付け方法について詳細に説明する。図６は、芯体３に対する羽状体５の貼り付け方法を示す模式図である。本実施形態では、芯体３に対する羽状体５の貼り付け方法に規則性を持たせて構成している。
【００４０】
図６に示すとおり、羽状体５は、芯体３の前方側１１に羽柄２３側を向け、後方側１３に羽軸先端側２５を向けて貼り付けている。上述のとおり、本実施形態の愛玩動物用玩具１は、長さを異にした複数の羽状体５を芯体３に貼り付けているが、用いる全ての羽状体５に対して上記規則性を適応することで、本愛玩動物用玩具１の表面に複数の羽状体５からなる略毛並みが形成され、例えばネズミ等の動物を模したものであれば、より本物に近い意匠性を持たせることができる。
【００４１】
また、羽状体５に上記規則性を持たせることで、個々の羽状体５が交差する等して互いに干渉することがなく、動き（靡き）の制約を緩和することができるため、より愛玩動物の興味を引くことができる。
【００４２】
上記方法を用いて芯体３の表面（底面１９を含む）全てに羽状体５を被覆する。なお、芯体３のサイズや形状にもよるが、芯体３を１５枚〜２５枚の羽状体５を貼り付けて被覆することが望ましい。
【００４３】
＜芯体３に対する長尺羽状体７の貼り付け方法＞
続いて、図７を用いて芯体３に対する長尺羽状体７の貼り付け方法について詳細に説明する。図７は、芯体３に対する長尺羽状体７の貼り付け方法を示す模式図である。本実施形態では、芯体３に対する長尺羽状体７の貼り付け方法を上記羽状体５と異にすることで、独立した部位を形成している。
【００４４】
図７に示すとおり、長尺羽状体７は、芯体３の前方側１１に羽柄３１側を向けつつ、芯体３の底面１９に貼り付ける。長尺羽状体７の貼り付け代とする範囲は必ずしも厳密に決定する必要はないが、少なくとも全長Ｌ２の１／２以上（羽軸先端側３３）が固定されない状態となり、愛玩動物が遊戯中に長尺羽状体７が自在に動作したり、床等に接して弾性力を発揮することができる。
【００４５】
なお、本実施形態では、芯体３の底面１９に長尺羽状体７を４枚貼り付けているが、芯材３の形状やサイズに応じて適宜決定することが望ましい。
【００４６】
上記のとおり、芯体３に対して羽状体５と長尺羽状体７とを貼り付けた後、芯体３の前方側１１近傍表面に例えば目、鼻、口及び耳等から構成される顔模様９を貼り付ける又は描くことにより、愛玩動物用の玩具としての意匠性を向上することができるとともに、より興味を引き付けることができる。
【００４７】
また、上記羽状体５及び長尺羽状体７は、例えば脱色や着色を施して色彩的な特徴を付加し、愛玩動物が着目し易いように構成してもよい。なお、着色を行う際に用いる染料は、例えば低塩染色用反応塗料等を用いることが望ましい。
【００４８】
以上、本実施形態における愛玩動物用玩具１の代表的な実施形態について図面を参照しつつ説明してきたが、本発明は、これらの実施形態に限定されるものではなく、特許請求の範囲の記載の精神及び教示を逸脱しない範囲でその他の変形例や改良例が存在し、これらは全て本発明の技術的範囲に含まれる。
【産業上の利用可能性】
【００４９】
本実施形態における愛玩動物用玩具は、愛玩動物の興味を引き、ストレス解消と身体運動の促進を図ることができる玩具である。
【符号の説明】
【００５０】
１      愛玩動物用玩具
３      芯体
５      羽状体
７      長尺羽状体
９      顔模様
１１    前方側
１３    後方側
１５    背部
１７    孔
１９    底面
２１    羽軸
２３    羽柄
２５    羽軸先端側
２７    羽弁
２９    羽軸
３１    羽柄
３３    羽軸先端側
３５    羽弁
Ｌ１    全長
Ｌ２    全長
Ｌ３    貼り付け代
【図１】
2019097405.tif 000003
【図２】
2019097405.tif 000004
【図３】
2019097405.tif 000005
【図４】
2019097405.tif 000006
【図５】
2019097405.tif 000007
【図６】
2019097405.tif 000008
【図７】
2019097405.tif 000009